(57)【要約】【課題】小型化を実現しつつ必要な沿面距離を確保して絶縁特性を高めるようにしたコイル用コア体を得る。【解決手段】コア４Ａ，４Ｂを２つのカバー１１，１２の組み合わせによる絶縁カバー１０Ａ，１０Ｂで覆ってなるコイル用コア体２において、一方のカバー１２の少なくとも一部の壁１２ｄ、１２ｆが２重の壁構造に設けられ、他方のカバー１２の少なくとも一部の壁１１ｄが該一方の壁の２重の壁構造の間に挿入されて、内部に収納されたコアと外部との沿面距離が両カバーの組み合わせにより構成される多重壁の折り返し壁構造を経て設定される絶縁特性を有してなる。【選択図】図３
2011171425.tif 000002
【特許請求の範囲】
【請求項１】
コアを絶縁カバーで覆ってなるコイル用コア体において、
前記絶縁カバーは、２つのカバーの組み合わせによって内部に前記コアを収納するものであり、一方のカバーの少なくとも一部の壁が２重の壁構造に設けられ、他方のカバーの少なくとも一部の壁が該一方の壁の２重の壁構造の間に挿入されるものであり、内部に収納されたコアと外部との沿面距離が両カバーの組み合わせにより構成される多重壁の折り返し壁構造を経て設定される絶縁特性を有することを特徴とするコイル用コア体。
【請求項２】
前記コア体の少なくとも一部の外周には巻線が巻回されるものであり、前記絶縁カバーの多重壁の折り返し構造は、該巻線の巻回部近傍に設けられていることを特徴とする請求項１記載のコイル用コア体。
【請求項３】
前記コア体をインバータトランスに使用することを特徴とする請求項１または２に記載のコイル用コア体。
【発明の詳細な説明】
【技術分野】
【０００１】
本発明は、各種電子・電気機器等に用いられる小型のコイルなどのさらなる小型化を図る際に、巻線とコアとの間に要求される沿面距離および空間距離を確保するようにした構造のコイル用コア体に関する。
【背景技術】
【０００２】
一般にコイルにおいては、巻線とコアとの相互間の絶縁性を確保するために種々の絶縁構造が採用されている。
【０００３】
例えば、トロイダルコアを上下の絶縁カバーを組み合わせて覆い、この絶縁カバーの外周に巻線を巻回するように構成して、巻線とコア間の絶縁性を簡易な組み立てによって高めるようにした構造が知られている（下記特許文献１参照）。
【先行技術文献】
【特許文献】
【０００４】
【特許文献１】特開昭５９−１５２６１０号公報
【発明の概要】
【発明が解決しようとする課題】
【０００５】
ところで、液晶テレビ等の液晶表示装置に使用されるバックライトには、コスト削減および効率改善のために、インバータ回路の入力電圧を、一次電源として家庭用電源を用いる方式が採用されるようになっている。それに伴い、インバータトランスにおいては一次巻線に加わる電圧が高くなり、コアとの間に必要とされる絶縁距離（沿面距離および空間距離）が長くなっている。
【０００６】
しかし、上記特許文献１の絶縁カバー構造では、上下のカバーの壁が単に重なり合った構造に構成されることで、要求される絶縁特性を確保するための沿面距離が十分に得られていないため、絶縁破壊による損傷が発生するおそれがある。
【０００７】
例えば、上記の一次電源として家庭用電源を使用する場合に、問題となるのが、諸国によって規格が異なる一方、小型化が進む電子機器、ノートパソコン等おいて使用されるトランスに対する小型化の要求が厳しくなっており、このような要求に応えるためには、トランスの低背化および小型化と上記の沿面距離、空間距離を長く取ることにより絶縁特性を確保することが困難となっている状況である。
【０００８】
つまり、トランス設計を行う場合、規格から算出された沿面距離と空間距離を一次と二次の導電部間で確保しなければならない。この導電部は、トランスでは、コア、巻線、端子などがあり、コアは電気的に接続されていないので、沿面距離や空間距離を計算する場合は、コアを介した一次側端子と二次側端子距離がその距離となる。以上の点を踏まえて設計すると、従来構造では、背が高く、大型化になってしまう問題を有する。
【０００９】
この問題は、一次電源に用いられるノーマルモードチョークコイルやコモンモードチョークコイルも同様である。
【００１０】
本発明はこのような事情に鑑みなされたものであり、小型化を実現しつつ必要な沿面距離を確保して絶縁特性を高めるようにしたコイル用コア体を提供することを目的とする。
【課題を解決するための手段】
【００１１】
上記目的を達成するため本発明に係るコイル用コア体は、コアを絶縁カバーで覆ってなるコイル用コア体において、前記絶縁カバーは、２つのカバーの組み合わせによって内部に前記コアを収納するものであり、一方のカバーの少なくとも一部の壁が２重の壁構造に設けられ、他方のカバーの少なくとも一部の壁が該一方の壁の２重の壁構造の間に挿入されるものであり、内部に収納されたコアと外部との沿面距離が両カバーの組み合わせにより構成される多重壁の折り返し壁構造を経て設定される絶縁特性を有することを特徴とするものである。
【００１２】
本発明において、前記コア体の少なくとも一部の外周には巻線が巻回されるものであり、前記絶縁カバーの多重壁の折り返し構造は、該巻線の巻回部近傍に設けることが好ましい。
【００１３】
また、本発明に係るコイル用コア体は、特にインバータトランスに使用するのが好適である。
【発明の効果】
【００１４】
本発明に係るコイル用コア体においては、絶縁カバーは２つのカバーの組み合わせによって内部にコアを収納するものであり、一方のカバーの少なくとも一部の壁が２重の壁構造に設けられ、他方のカバーの少なくとも一部の壁が該一方の壁の２重の壁構造の間に挿入されて、内部に収納されたコアと外部との沿面距離が両カバーの組み合わせにより構成される多重壁の折り返し壁構造を経て設定される絶縁特性を有する。
【００１５】
このため、コアの外周面が巻線または端子に対して長い沿面距離と空間距離を確保した絶縁状態で覆われ、巻線に作用する１次電圧が高められた場合にも要求規格を達成でき、優れた絶縁性能を確保することができる。さらに、この沿面距離と空間距離を確保するための構造がコア体またはトランスの全体形状を大きくすることなく得られ、特に低背化や小型化が要求されているインバータトランスを好適に実現することができる。
【図面の簡単な説明】
【００１６】
【図１】本発明の第１の実施形態に係るコイル用コア体を備えたインバータトランスの全体斜視図である。
【図２】図１の平面図である。
【図３】片側の上カバーおよび下カバー並びに片側のコアを除去した状態における図２の右側面図である。
【図４】図１の例におけるベース部材の斜視図である。
【図５】図１の例における両側のコアを組み合わせた状態の斜視図である。
【図６Ａ】図１の例における片側の上カバーを示す斜視図である。
【図６Ｂ】図１の例における片側の下カバーを示す斜視図である。
【図７】図２の７−７断面に沿い絶縁カバーの壁面を略記した中央縦断面における巻線とコアの間および端子とコアの間の沿面距離を鎖線で示す説明図である。
【図８】図２の８−８断面に沿い絶縁カバーの壁面を略記した横断面における巻線とコアの間の沿面距離を鎖線で示す説明図である。
【図９】図３の９−９断面に沿い絶縁カバーの壁面を略記した水平断面における巻線とコアの間の沿面距離を鎖線で示す説明図である。
【図１０】本発明の第２の実施形態に係るトロイダルコイル用のコア体を上カバーを分離した状態で示す断面斜視図である。
【図１１】図１０のコイル用コア体に巻線を巻回してなるトロイダルコイルの概略構成を示す平面図である。
【発明を実施するための形態】
【００１７】
以下、本発明に係るコイル用コア体およびこれを備えたコイルの実施形態について、添付した各図面を参照しつつ詳細に説明する。図１〜図９は本発明の第１の実施形態に係るコア体を有するインバータトランスの例を示し、図１０〜図１１は本発明の第２の実施形態に係るコア体を有するトロイダルコイルの例を示している。
【００１８】
＜第１の実施形態＞
図１に示す、本実施形態のコア体を有するインバータトランスの全体的な構成について説明する。このインバータトランス１は、例えば、ノートパソコン、液晶テレビ等に使用される各種表示パネルのバックライト用の冷陰極放電ランプ（ＣＣＦＬ）を放電、点灯させるＤＣ／ＡＣインバータ回路において使用されるものである。
【００１９】
インバータトランス１は、図５に示す左右１対のＥ型のコア４Ａ，４Ｂが、左右１対の絶縁カバー１０Ａ，１０Ｂで覆われてなるコア体２と、外周に１次巻線５および２次巻線６が巻回されて、上記コア体２の中央部に組み付けられるベース部材３（トランス用ボビン）とで構成されている。
【００２０】
上記コア体２における左右１対のコア４Ａ，４Ｂは、マンガン系のフェライトコアからなり、図５に示すように、それぞれ基部４１と、該基部４１の両端部にそれぞれ配された外脚部４２，４２と、該基部４１の中央部に配された中脚部４３とを備えたＥ字型のものであり、左右のコア４Ａ，４Ｂにおける各々の中脚部４３が、図４に示すような、ベース部材３の内部（詳しくは、後述の貫通孔３１ａ内）に挿通され、その先端部同士が互いに突き合わされるようになっている。また、各々の外脚部４２，４２は、ベース部材３の外側部において、互いの先端部同士が突き合せられるようになっている。
【００２１】
上記基部４１、外脚部４２，４２および中脚部４３は、図５における底面が同一面となり、後述のベース部材３のベース面上に後述の下カバー１２を介して載置され、上面は中脚部４３の高さが基部４１および外脚部４２，４２の高さより低く形成されている。
【００２２】
上記コア体２の各絶縁カバー１０Ａ，１０Ｂは左右で同一形状であり、それぞれ上下一対の上カバー１１，１１と下カバー１２，１２との組み合わせにより内部にコア４Ａ，４Ｂを収納するように形成されている。詳細構造は後述する。
【００２３】
上記ベース部材３は、図４に示すように、プラスチック等の絶縁性を有する材料で形成された中央の筒状基部３１（ボビン部）、１次側端子５０（６本）が外向きに取り付けられる一端側の１次側端子台３２、および２次側端子６０（２本）および絡げ端子６１（２本）が外向きに取り付けられる他端側の２次側端子台３３が一体に形成されてなる。
【００２４】
上記筒状基部３１は、上記コア４Ａ，４Ｂの各中脚部４３が挿通される貫通孔３１ａを有する略角筒状に形成されるとともに、１次側端子５０に近い端部の外周部に１次巻線５が巻回される第１巻回部３５と、２次側端子６０に近い端部の外周部に２次巻線６が巻回される第２巻回部３６とを備えてなる。
【００２５】
また、この筒状基部３１は、その両端部を含む外周に平行に多数のフランジ状の鍔部を備えている。この鍔部は、前記第１巻回部３５の両端部および内部に１つの仕切部が、第２巻回部３６の両端部および内部に４つの仕切部が配設され、さらに、第１巻回部３５と第２巻回部３６の間の中間部３７に狭い間隔で４つの仕切部が配設されている。そして、上記鍔部により第１巻回部３５は２つの巻回領域に分割され、第２巻回部３６は４つの巻回領域に分割され、それぞれ１次巻線５および２次巻線６が順次架け渡されながら巻回されるようになっている。なお、上記２次巻線６は、その最も低圧側部分が１次巻線５に近い巻回領域に巻回され、最も高圧側部分が離れた巻回領域に巻回されるようになっている。各巻回領域に巻回される巻線量は、各巻回領域内における電位差が所定値以内（例えば略３００Ｖ以内）となるように設定されている。
【００２６】
上記１次側端子台３２および２次側端子台３３の裏面には、１次巻線５および２次巻線６の端部を、それぞれ１次側端子５０または２次側端子６０のいずれかに導くための配線溝３２ａ（１次側端子台３２についてのみ図示し、２次側端子台３３は図示省略）が形成されている。
【００２７】
次に、本実施形態のコア体２およびこれを備えたインバータトランス１の特徴的構成について説明する。
【００２８】
コア体２は、コア４Ａ，４Ｂの外周に上下から絶縁カバー１０Ａ，１０Ｂを装着して、沿面距離および空間距離の大きい絶縁構造を確保してなる構成を有する。
【００２９】
図６Ａは絶縁カバー１０Ａ，１０Ｂの上カバー１１の斜視図、図６Ｂは下カバー１２の斜視図であり、この上カバー１１と下カバー１２の組み合わせにより側壁が重なり合って、外側の壁は２枚の壁構造であり、内側の壁は３枚の壁構造となっている。
【００３０】
図６Ａに示すように、上カバー１１は全体が１枚壁構造であり、コア４Ａ，４Ｂの底面を除く上面および側面を覆う平面から見て略Ｅ字形状に設けられている。つまり、コア４Ａ，４Ｂの基部４１および外脚部４２，４２の上面を覆う平面コ字状の外上壁１１ａと、中脚部４３の上面を覆う中央の中上壁１１ｂと、上記外上壁１１ａの外側縁から下方に屈曲して上下方向に連接された外側壁１１ｃと、上記外上壁１１ａの内側縁から下方に屈曲して上下方向に連接された内側壁１１ｄと、上記中上壁１１ｂの両側端から下方に屈曲して上下方向に連接された中側壁１１ｅとで構成されている。なお、中側壁１１ｅの高さは、外側壁１１ｃおよび内側壁１１ｄの高さより低く形成され、中上壁１１ｂが低い位置で中脚部４３の上面に沿うように形成されている。
【００３１】
一方、図６Ｂに示すように、下カバー１２は底側および外側が１枚壁構造で、内側が２重壁（２枚壁）構造であり、コア４Ａ，４Ｂの上面を除く底面および側面を覆う平面から見て略Ｅ字形状に設けられている。つまり、コア４Ａ，４Ｂの基部４１および外脚部４２，４２の底面を覆う平面コ字状の外底壁１２ａと、中脚部４３の底面を覆う中央の中底壁１２ｂと、上記外底壁１２ａの外側縁から上方に屈曲して上下方向に連接された外側壁１２ｃと、上記外底壁１２ａの内側縁から上方に屈曲して上下方向に連接された内側壁１２ｄと、上記中底壁１２ｂの両側端から上方に屈曲して上下方向に連接された中側壁１２ｅと、さらに、上記内側壁１２ｄおよび中側壁１２ｅと平行に配置された第２内側壁１２ｆおよび第２中側壁１２ｇとで構成されている。
【００３２】
中側壁１２ｅおよび第２中側壁１２ｇの高さは、外側壁１２ｃ、内側壁１２ｄおよび第２内側壁１２ｆの高さより低く形成され、また、第２内側壁１２ｆおよび第２中側壁１２ｇは、上記外底壁１２ａおよび中底壁１２ｂの内周縁が延長されてその端縁に連接され、内側壁１２ｄおよび中側壁１２ｅとの間にも外底壁１２ａおよび中底壁１２ｂが形成されている。
【００３３】
上記上カバー１１および下カバー１２の軸方向（図２におけるベース部材３の長手方向）の長さ寸法は、コア４Ａ，４Ｂの軸方向の長さ寸法より短く形成され、コア４Ａ，４Ｂの外脚部４２，４２および中脚部４３の先端部は、上カバー１１および下カバー１２より若干突出するようになっている。これにより、両側のコア４Ａ，４Ｂの外脚部４２，４２および中脚部４３の先端部が所定の突合せ状態（ギャップが形成される場合を含む）となる前に、上カバー１１および下カバー１２の先端が互いに当接して組み付けが阻害されることなく、両コア４Ａ，４Ｂによる閉磁路が構成される。
【００３４】
上記構造の上カバー１１と下カバー１２とを組み合わせた状態は、図３に示すように、上カバー１１の内周側の内側壁１１ｄおよび中側壁１１ｅは、下カバー１２の２重壁部分、つまり、内側壁１２ｄと第２内側壁１２ｆとの間および中側壁１２ｅと第２中側壁１２ｇとの間に挿入され、３重の折り返し構造となっている。一方、上カバー１１の外周側の外側壁１１ｃは、下カバー１２の外側壁１２ｃの内側に位置するように上下蓋合わせ構造となり、内部に形成される空間にコア４Ａ，４Ｂが収納され、このコア４Ａ，４Ｂと絶縁カバー１０Ａ，１０Ｂとによるコア体２が構成される。
【００３５】
上記コア体２をベース部材３に組み付けるインバータトランス１の作製を説明する。上記のように各コア４Ａ，４Ｂにそれぞれ絶縁カバー１０Ａ，１０Ｂを装着した左右に分離したコア体２，２を用意する。また、筒状基部３１の外周における第１巻回部３５に１次巻線５を巻回し、第２巻回部３６に２次巻線６を巻回し、各線の端部を両端部の１次側端子５０または２次側端子６０に接続してなるベース部材３を用意する。
【００３６】
そして、このベース部材３の筒状基部３１の貫通孔３１ａの内部に両側の開口部より、各コア体２，２の上カバー１１および下カバー１２によって覆われた各中脚部４３、４３をそれぞれ挿入し、この中脚部４３，４３および筒状基部３１の外側に位置する両側の外脚部４２，４２の対向する先端部をそれぞれ突き合わせて組み付ける。この組付状態においては、ベース部材３の１次側端子５０、２次側端子６０および絡げ端子６１が絶縁カバー１０Ａ，１０Ｂの端部より突出する。また、必要に応じてベース部材３の筒状基部３１の内部に絶縁性の樹脂剤を充填し、コア４Ａ，４Ｂ、上カバー１１、下カバー１２および筒状基部３１を相互に接着固定してもよい。
【００３７】
なお、製品となったインバータトランス１においては、ベース部材３の両側における外脚部４２，４２の突合せ状態（ギャップが形成される場合を含む）を、絶縁カバー１０Ａ，１０Ｂの隙間より目視する検査を行ってもよい。
【００３８】
本実施形態に係るインバータトランス１の絶縁特性として、１次巻線５とコア４Ｂとの間の沿面距離（２次巻線６とコア４Ａとの間も同様）および１次側端子５０とコア４Ｂとの間の沿面距離（２次側端子６０とコア４Ａとの間も同様）を、図７〜図９に基づいて説明する。この図７〜図９においては絶縁カバー１０Ａ，１０Ｂにおける上カバー１１、下カバー１２の壁部は厚みの断面表示を簡略化し、太線で示している。
【００３９】
１次巻線５（外周端部位置：ａ点）とコア４Ｂとの間の沿面距離は、図７のコア４Ｂの中脚部４３の縦断面を示す図に、中脚部４３の先端位置（上面側：ｂ点）に対するものを、および基部４１の後端下部（ｄ点）に対するものを示し、図８の横断面を示す図に、中脚部４３の上部角部（ｅ点）に対するものを、および外脚部４２の内側上角部（ｆ点）並びに外側下角部（ｇ点）に対するものを示し、図９の平断面を示す図に、外脚部４２の内側先端部（ｈ点）に対するものを示している。さらに、図７には、１次側端子５０（基端位置：ｊ点）と中脚部４３の先端位置（下面側：ｃ点）に対するものを、および基部４１の後端下部（ｄ点）に対するものを示している。
【００４０】
まず、１次巻線５の外周端の上部位置（ａ点）とコア４Ｂの中脚部４３の先端位置（ｂ点）との沿面距離は、筒状基部３１の端部鍔部３５ａを越えて下方に、上カバー１１における中脚部４３の上面を覆う中上壁１１ｂの上面および貫通孔３１ａの内面に沿って前方に、中上壁１１ｂの先端を越えて中脚部４３の先端に至る距離であり、上カバー１１の中上壁１１ｂの設置により長く設定されている（図７参照）。
【００４１】
次に、１次巻線５の外周端の上部位置（ａ点）とコア４Ｂの基部４１の後端下部（ｄ点）との沿面距離は、筒状基部３１の端部鍔部３５ａを越えて後方に、上カバー１１における基部４１の上面を覆う外上壁１１ａの上面を外側に越え、その外側壁１１ｃの外面を下方に沿って下端部を越えて、基部４１の後端下部に至る距離であり、上カバー１１の外上壁１１ａおよび外側壁１１ｃの設置により長く設定されている（図７参照）。
【００４２】
また、１次巻線５の外周端の上部位置（ａ点）とコア４Ｂの中脚部４３の上部角部（ｅ点）との沿面距離は、筒状基部３１の端部鍔部３５ａを越え、上カバー１１における中脚部４３の側面を覆う中側壁１１ｅの外面を下方に沿って下端部を越えて、内側の下カバー１２における中側壁１２ｅの外面を上方に沿って上端部を越えて、中脚部４３の上端に至る距離である。この沿面距離は、最短距離を示したもので、１次巻線５の外周端のａ点位置が他の側方位置および底部位置の場合には、下カバー１２の第２中側壁１２ｇの外面を上方に沿って上端部を越える距離だけ沿面距離が長くなり、さらにａ点位置が底部位置の場合には、１次側端子台３２によっても沿面距離が長くなり、上カバー１１および下カバー１２の中側壁１１ｅ、中側壁１２ｅ、第２中側壁１２ｇによる３重の壁構造の設置により長く設定されている（図８参照）。
【００４３】
また、１次巻線５の外周端の下部位置（ａ点）とコア４Ｂの外脚部４２の内側上角部（ｆ点）との沿面距離は、筒状基部３１の端部鍔部を越え、下カバー１２の第２内側壁１２ｆを外側にさらに上方に沿って、外脚部４２の内側面を覆う３重の壁構造（第２内側壁１２ｆ、内側壁１１ｄ、内側壁１２ｄ）に沿って上下に折り返して、内側壁１２ｄの上端部を越えて、外脚部４２の上端に至る距離である。なお、ａ点が高い位置の場合には上記沿面距離は短くなるが、上カバー１１の内側壁１１ｄおよび下カバー１２の内側壁１２ｄ、第２内側壁１２ｆによる３重の壁構造の設置により長く設定されている（図８参照）。
【００４４】
また、１次巻線５の外周端の下部位置（ａ点）とコア４Ｂの外脚部４２の外側下角部（ｇ点）との沿面距離は、筒状基部３１の端部鍔部を越え、下カバー１２の第２内側壁１２ｆを外側にさらに外底壁１２ａの底面を外側に、外側壁１２ｃを上方に沿って上端を越え、上カバー１１の外側壁１１ｃとの間を下方に沿って、外側壁１１ｃの下端を越えて、外脚部４２の下端に至る距離であり、上カバー１１の外側壁１１ｃおよび下カバー１２の外側壁１２ｃの設置により長く設定されている（図８参照）。
【００４５】
また、１次巻線５の外周端の側部位置（ａ点）とコア４Ｂの外脚部４２の内側先端部（ｈ点）との沿面距離は、筒状基部３１の端部鍔部を越え、下カバー１２の第２内側壁１２ｆを外側にさらに外脚部４２の先端側に前方へ沿って、その第２内側壁１２ｆの先端を越えて、外脚部４２の先端に至る距離である。
【００４６】
一方、１次側端子５０の基端位置（ｊ点）とコア４Ｂの中脚部４３の先端部（ｃ点）との沿面距離は、ベース部材３の１次側端子台３２の上面に沿って、下カバー１２における中脚部４３の底面を覆う中底壁１２ｂの下面および貫通孔３１ａの内面に沿って中底壁１２ｂの先端を越えて、中脚部４３の先端に至る距離であり、下カバー１２の中底壁１２ｂの設置により長く設定されている（図７参照）。
【００４７】
また、１次側端子５０の基端位置（ｊ点）とコア４Ｂの基部４１の後端下部（ｄ点）との沿面距離は、ベース部材３の１次側端子台３２の上面に沿って、下カバー１２における中脚部４３の外面を覆う外側壁１２ｃを上方に沿って上端を内側に越え、上カバー１１の外側壁１１ｃとの間を下方に沿って下端部を越えて、基部４１の後端下部に至る距離であり、上カバー１１の外側壁１１ｃおよび下カバー１２の外側壁１２ｃの設置により長く設定されている（図７参照）。
【００４８】
なお、図２に示すように、両側のコア４Ａ，４Ｂの先端が当接する中央部分については絶縁カバー１０Ａ，１０Ｂに隙間が構成され、不連続となって中央部分の絶縁特性が低下しているが、本実施形態におけるベース部材３の筒状基部３１においては、一端部の第１巻回部３５に１次巻線５が巻回され、他端部の第２巻回部３６に２次巻線６が巻回され、中間部３７には巻線が巻回されていないことで、この中央部分に作用する電圧が低く、要求される絶縁特性が低いことより問題が生じないものである。
【００４９】
一方、上記実施の形態においては、下カバー１２の２重の壁構造に対して、その間に挿入する上カバー１１の壁は、その先端部が２重壁の間の底部近傍に達する程度に、高さ方向の重なり程度が大きく設定されているが、必要とされる沿面距離に応じて重なり程度を適宜設計変更することが可能であるが、５０％以上重ね合わせることが好ましい。
【００５０】
上記のような第１の実施形態のコア体２によれば、上カバー１１および下カバー１２の多重壁構造による絶縁カバー１０Ａ，１０Ｂによってコア４Ａ，４Ｂの外周面が、１次巻線５および２次巻線６または１次端子５０および２次端子６０に対して長い沿面距離を確保して絶縁状態で覆われ、１次電圧が高められた場合にも要求規格を達成でき、短絡状態が発生することなく所望の特性のトランスを構成することが可能となるとともに、小型化が実現できるものである。
【００５１】
＜第２の実施形態＞
第２の実施形態に係るトロイダルコイル１００の概略全体平面図を図１１に示し、このトロイダルコイル１００におけるコア体１０２の上カバーを分離した状態の断面斜視図を図１０に示している。
【００５２】
本例のトロイダルコイル１００は、例えば断面矩形状のリング体で閉磁路を構成するトロイダルコア１０４が、上カバー１１１と下カバー１１２とによる絶縁カバー１１０で覆われてなるコイル用コア体１０２を備え、該コア体１０２に第一の巻線１０５および第二の巻線１０６が巻回されて構成されている。なお、この第一の巻線１０５および第二の巻線１０６は、図１１においては簡略的に示しており、それぞれ巻線を中心孔から外周に通してコア１０４の回りに巻回してなり、実際には全周に亘って第一の巻線１０５と第二の巻線１０６とが重ね巻きされるなど、公知の所定の形態に巻回されるものであり、その端子構造等の詳細は省略している。
【００５３】
上記コア体１０２の絶縁カバー１１０は、上記コア１０４と同様にリング状に形成され、上下一対の上カバー１１１と下カバー１１２との組み合わせにより内部にコア１０４を収納するように形成されている。
【００５４】
コア体１０２は、コア１０４の外周に上下から上カバー１１１および下カバー１１２を組み合わせて絶縁カバー１１０を装着し、沿面距離および空間距離の大きい絶縁構造を確保してなる構成としたものであり、この上カバー１１１と下カバー１１２の組み合わせにより側壁が重なり合って、外側および内周の壁は３枚の壁構造となっている。
【００５５】
図１０に示すように、上カバー１１１は全体が１枚壁構造であり、コア１０４の底面を除く上面および側面を覆う平面から見てリング形状に設けられている。つまり、コア１０４の上面を覆う平面リング状の上壁１１１ａと、この上壁１１１ａの外側縁から下方に屈曲して上下方向に連接された外側壁１１１ｂと、上壁１１１ａの内側縁から下方に屈曲して上下方向に連接された内側壁１１１ｃとで構成されている。
【００５６】
一方、下カバー１１２は底側が１枚壁構造で、外周側および内周側が２重壁（２枚壁）構造であり、コア１０４の上面を除く底面および側面を覆う平面から見てリング形状に設けられている。つまり、コア１０４の底面を覆う平面リング状の底壁１１２ａと、この底壁１１２ａの外側縁から上方に屈曲して上下方向に連接された外側壁１１２ｂと、底壁１１２ａの内側縁から上方に屈曲して上下方向に連接された内側壁１１２ｃと、さらに、上記外側壁１１２ｂおよび内側壁１１２ｃと平行に配置された第２外側壁１１２ｄおよび第２内側壁１１２ｅとで構成されている。
【００５７】
なお、第２外側壁１１２ｄおよび第２内側壁１１２ｅは、上記底壁１１２ａの外周縁および内周縁が延長されてその端縁に連接され、外側壁１１２ｂおよび内側壁１１２ｃとの間にも底壁１１２ａが形成されている。
【００５８】
上記構造の上カバー１１１と下カバー１１２とを組み合わせた状態では、上カバー１１１の外周側の外側壁１１１ｂおよび内周側の内側壁１１１ｃは、下カバー１１２の２重壁部分、つまり、外側壁１１２ｂと第２外側壁１１２ｄとの間および内側壁１１２ｃと第２内側壁１１２ｅとの間に挿入されるように上下蓋合わせ構造となり、内部に形成される空間にコア１０４が収納され、このコア１０４と絶縁カバー１１０とによるコア体１０２が構成される。
【００５９】
本実施形態に係るコア体１０２の絶縁特性として、第一の巻線１０５および第二の巻線１０６とコア１０４との間の沿面距離は、絶縁カバー１１０の外周部および内周部の上カバー１１１および下カバー１１２の３重の壁構造により、その壁面の間を上下に折り返す距離だけ沿面距離が長く設定されている。
【００６０】
以上、本発明に係るコイル用コア体およびこれを備えたインバータトランスおよびトロイダルコイルの実施形態を説明したが、本発明は上述の態様に限定されるものではなく、種々に態様を変更することが可能である。
【００６１】
例えば、上述の実施形態のコア体２，１０２では、下カバー１２，１１２の側壁を２重壁構造としているが、上カバー１１，１１１の側壁を２重壁構造とし、その間に下カバーの壁が挿入されるように構成してもよい。さらに、上カバーおよび下カバーの両方に２重壁構造を設け、さらに多重壁構造として沿面距離が長くなるように構成することが可能である。
【００６２】
また、上記の第２の実施形態において、トロイダルコア１０４に絶縁カバー１１０で覆ったコア体１０２に巻線を一つだけ巻き、ノーマルモードチョークコイルとして構成してもよい。
【００６３】
また、上述の実施形態では、Ｅ字型およびリング型のコアを用いているが、Ｉ字型やＴ字型、Ｕ字型等のコアを適宜組み合わせて用いてもよい。
【符号の説明】
【００６４】
１  インバータトランス
２  コア体
３  ベース部材
４Ａ，４Ｂ  コア
５  １次巻線
６  ２次巻線
１０Ａ，１０Ｂ  絶縁カバー
１１  上カバー
１１ａ  外上壁
１１ｂ  中上壁
１１ｃ  外側壁
１１ｄ  内側壁
１１ｅ  中側壁
１２  下カバー
１２ａ  外底壁
１２ｂ  中底壁
１２ｃ  外側壁
１２ｄ  内側壁
１２ｅ  中側壁
１２ｆ  第２内側壁
１２ｇ  第２中側壁
３１  筒状基部
３１ａ  貫通孔
３２  １次側端子台
３２ａ  配線溝
３３  ２次側端子台
３５  第１巻回部
３６  第２巻回部
３７  中間部
４１  基部
４２  外脚部
４３  中脚部
５０  １次側端子
６０  ２次側端子
６１  絡げ端子
１００  トロイダルコイル
１０２  コア体
１０４  コア
１０４  トロイダルコア
１０５  第一の巻線
１０６  第二の巻線
１１０  絶縁カバー
１１１  上カバー
１１１ａ  上壁
１１１ｂ  外側壁
１１１ｃ  内側壁
１１２  下カバー
１１２ａ  底壁
１１２ｂ  外側壁
１１２ｃ  内側壁
１１２ｄ  第２外側壁
１１２ｅ  第２内側壁
【図１】
2011171425.tif 000003
【図２】
2011171425.tif 000004
【図３】
2011171425.tif 000005
【図４】
2011171425.tif 000006
【図５】
2011171425.tif 000007
【図６Ａ】
2011171425.tif 000008
【図６Ｂ】
2011171425.tif 000009
【図７】
2011171425.tif 000010
【図８】
2011171425.tif 000011
【図９】
2011171425.tif 000012
【図１０】
2011171425.tif 000013
【図１１】
2011171425.tif 000014